(57)【特許請求の範囲】
【請求項１】
記録媒体上に形成すべき像を転写するための転写材を搬送する転写材搬送手段と、
該転写材搬送手段を駆動する駆動手段と、
通常の電力により装置を動作させる通常動作モードと前記通常の電力よりも低い低消費電力により前記装置を動作させる低消費電力動作モードとを切り替えて電力消費を制御する制御手段とを備えた画像形成装置において、
前記低消費電力動作モードから前記通常動作モードに切り換えた際、前記転写材搬送手段の駆動を禁止するための信号を生成する生成手段と、
前記生成手段により生成された信号に従って前記駆動手段による駆動を禁止する禁止手段とを有することを特徴とする画像形成装置。
【請求項２】
装置への電源の接続／切断を切り換える電源接続手段を有し、前記禁止手段は、前記電源接続手段が接続状態にある状態で前記低消費電力動作モードから前記通常動作モードに切り換えた際前記生成手段により生成された信号に従って前記駆動手段による駆動を禁止する一方、前記電源接続手段が切断状態から接続状態にされたときは、前記生成手段により生成された信号に拘わらず前記駆動手段による駆動を許容することを特徴とする請求項１記載の画像形成装置。
【請求項３】
装置への電源の接続／切断を切り換える電源接続手段と、装置内での転写材の詰まり状態を検出する詰まり状態検出手段とを有し、前記制御素子は、前記電源接続手段が切断状態から接続状態にされた際に前記詰まり状態検出手段により前記転写材の詰まり状態が検出されたとき、前記駆動手段による駆動を禁止する第２の禁止手段を有することを特徴とする請求項１記載の画像形成装置。
【請求項４】
装置への電源の接続／切断を切り換える電源接続手段と、装置内での故障を検出する故障検出手段とを有し、前記制御素子は、前記電源接続手段が切断状態から接続状態にされた際に前記故障検出手段により故障が検出されたとき、前記駆動手段による駆動を禁止する第３の禁止手段を有することを特徴とする請求項１記載の画像形成装置。
【請求項５】
記録媒体に画像を記録すると共に該記録のための準備処理を行う記録手段と、
通常の電力により装置を動作させる通常動作モードおよび前記通常の電力よりも低い低消費電力により前記装置を動作させる低消費電力動作モードを有する電源手段と、
該電源手段の前記通常動作モードと前記低消費電力動作モードとを切り替えて電力消費を制御する制御手段と、
前記電源手段の装置への接続／切断を切り換える電源接続手段とを備え、
前記電源接続手段により前記電源手段が切断から接続に切り換えられた場合、前記記録手段は前記準備処理を行い、
前記制御手段により前記電源手段が前記低消費電力動作モードから前記通常動作モードに切り換えられた場合、前記記録手段は前記準備処理を行わないことを特徴とする画像形成装置。
【請求項６】
前記記録手段は、前記低消費電力動作モードで電力供給されず、該電力供給の開始を受けて前記準備処理を開始し、
前記制御手段は、前記電源手段を前記低消費電力動作モードから前記通常動作モードに切り換える場合、前記記録手段による前記準備処理を禁止することを特徴とする請求項５記載の画像形成装置。
【請求項７】
前記記録手段は、前記制御手段から前記準備処理の実行命令を受けた場合、前記準備処理を実行し、
前記制御手段は、前記電源接続手段による切断から接続への切り換えを検出した場合、前記記録手段に前記準備処理の実行命令を出力することを特徴とする請求項５記載の画像形成装置。
【請求項８】
前記記録手段は、前記記録媒体を搬送する搬送手段を備え、
前記準備処理は、該搬送手段の駆動であることを特徴とする請求項５記載の画像形成装置。
【請求項９】
前記記録手段は、電子写真方式により前記記録媒体に画像を記録し、
前記準備処理は、電子写真プロセス部の初期化、定着器の故障検知およびトナーの有無のチェックを含むことを特徴とする請求項８記載の画像形成装置。
【請求項１０】
前記電源接続手段は電源コードのプラグであり、
前記電源の切断とは商用電源のインレットから前記プラグが抜かれた状態であり、
前記電源の接続とは前記商用電源のインレットへ前記プラグが差し込まれた状態であることを特徴とする請求項２、請求項３、請求項４、請求項５または請求項７記載の画像形成装置。
【請求項１１】
前記画像形成装置はファクシミリ装置であることを特徴とする請求項１乃至請求項１０いずれかに記載の画像形成装置。
【発明の詳細な説明】
【０００１】
【発明の属する技術分野】
本発明は画像形成装置に関し、特に電子写真方式を用いた画像形成装置に関する。
【０００２】
【従来の技術】
現在、この種の画像形成装置を適用したファクシミリ装置は、通信回線を通じた他の画像形成装置あるいは通信装置との接続および通信、コピーのための画像の記録および画像の読み取り、そして、外部コンピュータとの間でのファクシミリ装置の通信、記録、読み取りの各手段の共有化などの形態で用いられている。以上の形態で動作を行っているとき以外の状態は、上記動作を行うための待機状態となっている。
【０００３】
そして、上記ファクシミリ装置では、ユーザが設定できる電源オン／オフ切り換え手段がオン状態のとき、待機時又は動作時に拘らず、商用交流電源または自家発電交流電源の出力が装置の第１電源手段を介して装置内の制御素子に供給される電圧（以下、安定化出力電圧と呼ぶ）に変換される。このようにして、装置内の全ての制御素子に対して安定化出力電圧が供給されていた。
【０００４】
このため、ファクシミリ装置の動的な通常の動作が何ら行われていない待機状態であっても、電力は通常の動作時と同様に消費されていた。この待機状態での電力消費を抑える方法のひとつとしては、待機中は前記安定化出力電圧への変換動作を中止し、同時に装置のひとつの制御素子（以下、待機制御用制御素子と呼ぶ）の電源を２次電池等の第２電源に切り換えて、その他の制御素子への通電を行わないようにしている。このように、電力の消費を抑える動作を以下に低消費電力動作モードと呼び、これに対して通常の動作で電力を供給する動作を以下に通常動作モードと呼ぶ。
【０００５】
そして、各制御素子の電源である第１電源手段は通常動作モードから低消費電力動作モードへの遷移があると各制御素子への電力供給を中止し、これに替わって電力供給源が第２電源手段に移り、第２電源手段は待機中に動作する待機制御用制御素子のみを動作させる。低消費電力モード中に通常動作モードへの復帰信号が入力されると、低消費電力動作モードから通常動作モードへの復帰がなされる。
【０００６】
また、低消費電力動作モードにおいては、制御素子の出力端子は低消費電力動作モード導入直前と同じ論理にラッチされ、制御素子の動作を行うためのクロック信号の入力も停止される。これにより、電力消費を極力抑えた状態で通常動作モードへの復帰信号のみを受付ける状態を確立する。この復帰信号は、通信回線を通じてのＣＩ信号の検出、電話機のオフフックの検出、読み取り原稿有無信号の検出、または、外部インターフェースを通じた外部コンピュータからの起動命令、操作部からのキー入力により生成される。
【０００７】
そして、通常動作への復帰と共に安定化出力電圧への変換動作が再開され、待機制御用制御素子の電源は第２電源手段から第１電源手段による安定化出力電圧の供給へ切り替わる。
【０００８】
以上の方法を実施することにより、待機状態の期間には消費電力を大きく削減することができる。
【０００９】
また、上記ファクシミリ装置において、画像形成装置では、電源投入時において、その記録動作の制御を行うための制御素子（以下、記録制御用制御素子と呼ぶ）が、その記録動作のための各種インストラクションを記述したＲＯＭ（Ｒｅａｄ  Ｏｎｌｙ  Ｍｅｍｏｒｙ）の内容を読み出して、電源投入時のプログラムルーチンを動作させる。この動作では、まず、ジャム検知、装置の開閉蓋の状態チェックが行われ、正常ならば転写材搬送用モータを駆動させてイニシャル回転を行なわせる。これにより、電子写真プロセス部の初期化、定着器への短時間通電時の温度検出による故障検知、トナー有無チェック等が行なわれる。この動作を完了するのに少なくとも電子写真プロセスの部の感光体ドラムを１回転させるための時間が必要であった。
【００１０】
【発明が解決しようとする課題】
上述したように、従来の画像形成装置では、第１電源手段による安定化出力電圧への変換が中止されている場合、第２電源手段の消費を抑えるための待機制御用制御素子以外の制御素子には電源供給がなされておらず、当然に記録制御用制御素子への電源供給もなされていなかった。このため、記録制御用制御素子が動作状態となっても、その動作状態が待機状態からの遷移なのか、それとも装置の新規立ち上げ（電源投入）によるものなのかを判別することができず、毎回電源投入時と同様のプログラムルーチンを動作させてイニシャル回転が行なわれるようにしていた。
【００１１】
従って、待機状態から動作状態へ復帰しても直ちに記録動作に入ることができず、例えば、通信時間の短いファクシミリ受信が行なわれるとイニシャル回転中のために記録ができなくなるという欠点があった。これは、故障でもないのに記録不可能としてメモリ代行受信という機能を使うことになるという不具合があった。
【００１２】
また、従来の画像形成装置を外部機器の出力装置として用いた場合、外部機器より起動がかけられても、プリンタ準備が整っていないために、データを受信することができずに外部機器にエラーを返答してしまうという欠点を有していた。
【００１３】
本発明の目的は、上記課題を解消するためになされ、装置が待機状態から動作状態へ復帰した場合、直ちに記録動作に入ることができる画像形成装置を提供することにある。
【００１４】
また、本発明の別の目的は、記録不能な状態でイニシャル回転を実施するような無駄な動作を防止することができる画像形成装置を提供することにある。
【００１５】
【課題を解決するための手段】
上記目的を達成するために、本発明の請求項１に係る画像形成装置は、記録媒体上に形成すべき像を転写するための転写材を搬送する転写材搬送手段と、該転写材搬送手段を駆動する駆動手段と、通常の電力により装置を動作させる通常動作モードと前記通常の電力よりも低い低消費電力により前記装置を動作させる低消費電力動作モードとを切り替えて電力消費を制御する制御手段とを備えた画像形成装置において、前記低消費電力動作モードから前記通常動作モードに切り換えた際、前記転写材搬送手段の駆動を禁止するための信号を生成する生成手段と、前記生成手段により生成された信号に従って前記駆動手段による駆動を禁止する禁止手段とを有することを特徴とする。
【００１６】
請求項２に係る画像形成装置は、請求項１に係る画像形成装置において装置への電源の接続／切断を切り換える電源接続手段を有し、前記禁止手段は、前記電源接続手段が接続状態にある状態で前記低消費電力動作モードから前記通常動作モードに切り換えた際前記生成手段により生成された信号に従って前記駆動手段による駆動を禁止する一方、前記電源接続手段が切断状態から接続状態にされたときは、前記生成手段により生成された信号に拘わらず前記駆動手段による駆動を許容することを特徴とする。
【００１７】
請求項３に係る画像形成装置は、請求項１に係る画像形成装置において装置への電源の接続／切断を切り換える電源接続手段と、装置内での転写材の詰まり状態を検出する詰まり状態検出手段とを有し、前記制御素子は、前記電源接続手段が切断状態から接続状態にされた際に前記詰まり状態検出手段により前記転写材の詰まり状態が検出されたとき、前記駆動手段による駆動を禁止する第２の禁止手段を有することを特徴とする。
【００１８】
請求項４に係る画像形成装置は、請求項１に係る画像形成装置において装置への電源の接続／切断を切り換える電源接続手段と、装置内での故障を検出する故障検出手段とを有し、前記制御素子は、前記電源接続手段が切断状態から接続状態にされた際に前記故障検出手段により故障が検出されたとき、前記駆動手段による駆動を禁止する第３の禁止手段を有することを特徴とする。
【００２５】
請求項５に係る画像形成装置は、記録媒体に画像を記録すると共に該記録のための準備処理を行う記録手段と、通常の電力により装置を動作させる通常動作モードおよび前記通常の電力よりも低い低消費電力により前記装置を動作させる低消費電力動作モードを有する電源手段と、該電源手段の前記通常動作モードと前記低消費電力動作モードとを切り替えて電力消費を制御する制御手段と、前記電源手段の装置への接続／切断を切り換える電源接続手段とを備え、前記電源接続手段により前記電源手段が切断から接続に切り換えられた場合、前記記録手段は前記準備処理を行い、前記制御手段により前記電源手段が前記低消費電力動作モードから前記通常動作モードに切り換えられた場合、前記記録手段は前記準備処理を行わないことを特徴とする。
【００２６】
請求項６に係る画像形成装置では、請求項５に係る画像形成装置において前記記録手段は、前記低消費電力動作モードで電力供給されず、該電力供給の開始を受けて前記準備処理を開始し、前記制御手段は、前記電源手段を前記低消費電力動作モードから前記通常動作モードに切り換える場合、前記記録手段による前記準備処理を禁止することを特徴とする。
【００２７】
請求項７に係る画像形成装置では、請求項５に係る画像形成装置において前記記録手段は、前記制御手段から前記準備処理の実行命令を受けた場合、前記準備処理を実行し、前記制御手段は、前記電源接続手段による切断から接続への切り換えを検出した場合、前記記録手段に前記準備処理の実行命令を出力することを特徴とする。
【００２８】
請求項８に係る画像形成装置では、請求項５に係る画像形成装置において前記記録手段は、前記記録媒体を搬送する搬送手段を備え、前記準備処理は、該搬送手段の駆動であることを特徴とする。
【００２９】
請求項９に係る画像形成装置では、請求項８に係る画像形成装置において前記記録手段は、電子写真方式により前記記録媒体に画像を記録し、前記準備処理は、電子写真プロセス部の初期化、定着器の故障検知およびトナーの有無のチェックを含むことを特徴とする。
【００３０】
請求項１０に係る画像形成装置では、請求項２、請求項３、請求項４、請求項５または請求項７に係る画像形成装置において前記電源接続手段は電源コードのプラグであり、前記電源の切断とは商用電源のインレットから前記プラグが抜かれた状態であり、前記電源の接続とは前記商用電源のインレットへ前記プラグが差し込まれた状態であることを特徴とする。
【００３１】
請求項１１に係る画像形成装置では、請求項１乃至請求項１０いずれかに係る画像形成装置において前記画像形成装置はファクシミリ装置であることを特徴とする。
【００３２】
【発明の実施の形態】
以下に、本発明に係る画像形成装置を適用したファクシミリ装置を例に挙げて説明する。
【００３３】
［第１の実施の形態］
図１は本発明の一実施例であるファクシミリ装置の内部構成を示す側断面図でり、図２及び図３は図１に示したファクシミリ装置の外観斜視図である。同図において、例えば、１はファクシミリ装置の装置本体であり、その装置本体１内部に、主に、原稿搬送部２、読み取り部３、光学部４、画像形成部５、転写搬送部６、画像定着部７、通信部８（図４参照）、操作部９、表示部１０、制御部１１（図４参照）を有している。
【００３４】
原稿搬送部２は、予備搬送押圧片２ａと圧接した予備搬送ローラ２ｂおよび分離押圧片２ｃと圧接した分離ローラ２ｄによって原稿載置台１２上に複数枚積載した原稿Ｓを１枚ずつ分離し、さらに給紙コロ２ｅと圧接した給紙ローラ２ｆで読り取り部３に搬送する。
【００３５】
読み取り部３は密着型イメージセンサ（ＣＳ）１４、原稿押さえ板１５等で構成される。この密着型イメージセンサ１４がＬＥＤ（Ｌｉｇｈｔ  Ｅｍｉｔｔｉｎｇ  Ｄｉｏｄｅ）アレイを光源として原稿Ｓの画像情報面に光を照射し、その反射光をセルフォックレンズでセンサ素子に結像して画像情報を読み取る。このセンサ素子にて読み取られた画像情報は制御部１１に送られ、ここでシェーディング補正、Ａ／Ｄ（アナログ−ディジタル）変換等の処理を施される。その後、このディジタル化された画像信号は、光学部４または通信部８に送られ、本装置における記録処理または画像通信に用いられる。
【００３６】
光学部４では、制御部１１から送られる画像信号に従ってレーザスキャナ１６のレーザダイオード（図示せず）が発光され、変調されたレーザビームが発生する。この変調されたレーザビームはコリメータレンズ１８（図示せず）により平行光に変換された後、一定速度で回転する多面体ミラー１９に入射される。多面体ミラー１９から反射されたレーザビームは多面体ミラー１９の前に配置された結像レンズ２０により感光ドラム２１上に焦点を結ぶ。
【００３７】
多面体ミラー１９が一定速度で回転すると、感光ドラム２１上のレーザビームは一定速度で感光ドラム２１上を走査する。感光ドラム２１が一定速度で回転し、かつレーザビームが一定速度で感光ドラム２１上を走査すると、感光ドラム２１上に静電潜像が形成される。
【００３８】
画像形成部５では、導電ドラムと光導電層で形成される感光体ドラム２１の周りに一次帯電器２２、現像器２３、転写帯電器２４、ブレード方式のクリーニング器（図示せず）、除電器（図示せず）とが構成されている。ここで、感光体ドラム２１、一次帯電器２２、現像器２３、クリーニング器、除電器は、現像材回収容器２７と共に装置本体の取付部材中に着脱自在に取り付けられるプロセスカートリッジ（図示せず）として一体的に収納されている。
【００３９】
さて、感光体ドラム２１、一次帯電器２２、現像器２３内の現像スリーブ２３および転写帯電器２４はモータＭ２により駆動される。駆動された感光ドラム２１は、一次帯電器２２の通過によりその表面を均一にマイナスに直接帯電された後、レーザダイオードよりレーザ光を受け露光される。このレーザ光の照射によって明部のマイナス電荷は中和され、静電潜像が形成される。この静電潜像は現像器２３中の現像剤Ｔに近接すると、マイナス帯電した現像剤Ｔが潜像と現像器２３間の電位差により感光体ドラム２１表面にジャンプし、可視像化される。そして、転写帯電器２４によってプラス電荷がかかると、感光体ドラム２１上のトナー像は転写材Ｐ上に転写される。
【００４０】
また、転写が終了した感光体ドラム２１表面は、クリーニング器によって残留トナーが除去され、この後、一次帯電器２２によってドラム電位を均一にされ、次の静電潜像の形成に備える。感光体ドラム２１表面上より除去された残留トナーは現像剤回収容器２７に回収される。転写材搬送部６では、第１カセット２９、第２カセット３０が装置本体１の所定部に引き出し可能に装着されている。第１カセット２９、第２カセット３０にセットされた転写材Ｐは選択的に搬送される。
【００４１】
まず、第１カセット２９にセットされた転写材Ｐを搬送する場合、給紙ソレノイドＳＬ１（図示せず）の駆動によってモータＭ２の駆動を半円状の給紙ローラ２９ａに伝え、その回転によって転写材Ｐは１枚ずつ分離される。そして、分離された転写材Ｐは搬送ローラ３１ａにより搬送される。この際、レジセンサ（図示せず）により給送中の転写材Ｐの先端位置を検知して、感光体ドラム２１に形成されたトナー像の先端と転写材Ｐの先端とが一致するように搬送タイミングをとることで、転写材Ｐは搬送ローラ３１ａによって感光体ドラム２１と転写帯電器２４との間に搬送される。
【００４２】
次に、第２カセット３０にセットされた転写材Ｐを搬送する場合、給紙ソレノイドＳＬ２（図示せず）の駆動によってモータＭ２の駆動を半円状の給紙ローラ３０ａに伝え、その回転により転写材Ｐは１枚ずつ分離され、カセットから搬送ローラ３０ｂによって搬送ローラ３１ａまで搬送される。その後、転写材Ｐは搬送ローラ３１ａにより搬送され、その際、レジセンサ（図示せず）により給送中の転写材Ｐの先端位置が検知され、感光体ドラム２１に形成されたトナー像の先端と転写材Ｐの先端とが一致するように搬送タイミングをとることで、転写材Ｐは搬送ローラ３１ａによって感光ドラム２１と転写帯電器２４との間に搬送される。
【００４３】
画像形成部５において、画像の転写を受けた転写材Ｐは、モータＭ２によって駆動される定着ローラ３２及び排紙ローラ３３によってさらに搬送され、転写材排紙トレイ３４上に排出される。なお、給紙プロセスを実行する給紙部、排紙プロセスを実行する排紙部にはそれぞれ給紙センサ（図示せず）、排紙センサ（図示せず）が設けられ、そこで転写材Ｐの到達あるいは通過が検知される。転写材Ｐが所定の時間内に各給紙センサ、排紙センサに到達あるいは通過しない場合、転写材Ｐの搬送不良が生じたと判断し、その旨の表示が表示部によって行われる。
【００４４】
また、装置本体１には、第１開閉蓋３７、第２開閉蓋３８、第３開閉蓋３９、及び上カバー４０が開閉自在に取り付けられている。第１開閉蓋３７は排紙部における転写材詰まりを取り除くために使用され、第２開閉蓋３８、第３開閉蓋３９は給紙部における転写材詰まりを取り除くために使用され、上カバー４０はプロセスカートリッジにおける転写材詰まりの取り除き処理及びプロセスカートリッジの着脱に使用される。
【００４５】
画像定着部７は、ヒータ４１、定着フィルム４２、定着加圧ローラ３２、排紙ローラ３３等によって構成されている。ヒータ４１は自身に密着させたサーミスタ４３の抵抗値変化によりその表面温度を検知し、表面温度が一定となるように制御される。上記表面温度の熱により定着フィルム４２は温められる。また、このヒータ４１の熱容量は小さく、転写材Ｐが定着器に到達する前に所定の定着温度に達する。
【００４６】
そして、画像形成部５において、トナー像の転写を受け、感光体ドラム２１から分離、搬送されてくる転写材Ｐが、ヒータ４１と定着加圧ローラ３２により形成される定着ニップ部に突入すると、定着加圧ローラ３２は転写材Ｐ上のトナーを定着フィルム４２を介してヒータ４１に圧接する。このときのヒータ４１からの熱伝導によりトナーは軟化、溶融して、転写材Ｐに定着する。トナー像の定着を受けた転写材Ｐは記録紙排紙トレイ３４上に排出される。
【００４７】
通信部８は、通信回線や電話機等の通話機器と装置本体１を接続するものであり、画像通信データの変調、復調や有意信号の検出、信号経路の接続切り替え等を行う。
【００４８】
操作部９は、複数のキー入力スイッチ及びキー入力を検出する回路等により構成されており、装置の動作指示及び各種情報の入力を行う。表示部１０は、装置の状態、発呼する相手の電話番号、時刻情報及び操作手順等の表示を行う。制御部１１は、上述した各部、各種機構の制御を行うものである。
【００４９】
図４は図１に示したファクシミリ装置の制御系を示すブロック図である。同図において、制御部１１は、ファクシミリ装置全体を制御するＣＰＵ（Ｃｅｎｔｒａｌ  Ｐｒｏｃｅｓｓｉｎｇ  Ｕｎｉｔ  ）であり、プログラムに従って動作するＭＰＵ（Ｍｉｃｒｏｐｒｏｃｅｓｓｏｒ  Ｕｎｉｔ  ）１１１、このＭＰＵ１１１の動作の記述がなされたインストラクション群をプログラムとして格納したＲＯＭ１１２、プログラムによる各種データ処理のワークエリアや画像情報の一時的記憶部として使用されるＲＡＭ１１３、画像の変倍、解像度変換等の処理を行う画像処理部１１４等により構成される。
【００５０】
また、制御部１１はカレンダや時計等の機能を有し、ＲＡＭ１１３はバッテリバックアップによって停電などの不慮の障害などから保護される。
【００５１】
本実施例によるファクシミリ装置の制御系は、制御部１１と図４に示した各部とをインターフェースを通じて結合した構成をとるものである。
【００５２】
操作部９は、テンキー１１５、ファンクションキー１１６、ワンタッチキー１１７、スタートキー１１８、ストップキー１１９等の各種キースイッチ等から構成される。
【００５３】
表示部１０は、各種メッセージの表示を行うＬＣＤ（Ｌｉｑｕｉｄ  Ｃｒｙｓｔａｌ  Ｄｉｓｐｌａｙ）１２０、送信モード等の表示を行う各種ＬＥＤ１２１等から構成される。読み取り部３は、読み取りモータ等の駆動部１２２、画像読み取りを行う読み取りセンサ１２３、読み取った画像のシェーディング補正や２値化処理を行う画像処理部１２４、原稿検知等を行う各種センサ１２５等から構成される。
【００５４】
記録部５１は、記録モータ等の駆動部１２６、レーザスキャナや電子写真プロセスの制御を行う記録制御用制御素子（記録制御素子）４４、記録する画像のスムージング等の処理を行う画像処理部１２８、記録紙等の有無検知を行う各種センサ１２９から構成される。
【００５５】
通信部８は、発呼、着呼、画像データの符号化等を行う通信制御部１３０とＤＳＵ（Ｄｉｇｉｔａｌ  Ｓｅｒｖｉｃｅ  Ｕｎｉｔ）、ＮＣＵ（Ｎｅｔｗｏｒｋ  Ｃｏｎｔｒｏｌ  Ｕｎｉｔ）からなる接続部１３１とを有しており、接続部１３０には通信網５２、ハンドセット５３が接続される。
【００５６】
制御部外部インターフェース５４は、制御部１１から直接データの送受信を行うインターフェースであり、例えば、ＲＳ２３２Ｃ、ＳＣＳＩ、ＬＡＮ（Ｌｏｃａｌ  Ａｒｅａ  Ｎｅｔｗｏｒｋ）等によって装置外部のコンピュータと接続することができ、外部コンピュータのスキャナ、プリンタ、通信手段として利用される。また、ＨＤＤ（Ｈａｒｄ  Ｄｉｓｋ  Ｄｒｉｖｅ  ）５５は、大容量の不揮発性記憶装置として画像情報等の保持に使用される。
【００５７】
そして、音響装置５６は、制御部１１に接続されて、送受信の報知やエラーを可聴音により行うための音源を有している。
【００５８】
図５は図４に示した制御部１１と記録部５１の構成を示すブロック図である。図５において、記録制御用制御素子４４は、ファクシミリ装置全体を制御するＭＰＵ１１１とインターフェースをとりながら、光学部４、画像形成部５、転写材搬送部６、画像定着部７等の記録制御を行うための信号の入出力を実行する。なお、ＭＰＵ１１１は、待機状態（低消費電力動作モード）のときにも電源供給を受けて動作するものである。すなわち、ＭＰＵ１１１は通常動作モードだけでなく低消費電力動作モードのときにも動作する待機制御用制御素子である。
【００５９】
上記記録制御用制御素子４４は、記録制御を行うための各種インストラクションを記述したＲＯＭ、ＲＡＭよりインストラクションを読み出す手段、読み出したインストラクションを処理する処理手段、この処理手段が必要とする情報を記憶しておくための入出力が可能なＲＡＭ、処理回路によって作り出された信号を出力する出力手段とを有し、これらの手段の相互作用により制御を行っている。また、記録制御用制御素子４４は電源供給開始に応じて自動的にイニシャル回転を行う。
【００６０】
第１電源部４７はスイッチング電源であり、スイッチ４６がオンの後に商用交流電源あるいは自家発電交流電源等の交流電源４９から電力供給を受け、装置の各部が必要とする電圧に変換して、電源を供給する。またＭＰＵ１１１より送出される信号により、電圧変換動作の変換／停止を切り替えることができる。記録制御用制御素子４４は第１電源部４７からのみ電源供給を受ける。
【００６１】
第２電源部４８は２次電池を有しており、装置への電源供給の接続／切断を行う電源スイッチ（ＳＷ）４６がオンのときであって、かつ第１電源部４７が電圧変換動作を停止しているときにＭＰＵ１１１に電源を供給する。
【００６２】
ＭＰＵ１１１は、低消費電力動作モードから通常動作モードに復帰するためのタイミングをはかる復帰信号を入力する入力端子１１１ａを具備している。この入力端子１１１ａは、装置に接続された外部機器からの起動信号、原稿検知信号、キー入力信号、ＣＩ信号、オフフック検出信号のそれぞれを復帰信号として受け付ける部位である。ＭＰＵ１１１は、入力端子１１１ａにおける復帰信号の状態を検出して、通常動作モード、低消費電力動作モード間の移行を制御する。
【００６３】
例えば、低消費電力動作モードへの移行は、装置の読取り、記録、電話回線を使用した通信、外部機器との通信のいずれもが動作していないときに実行され、その後、第１電源部４７へ動作停止指示が送出される。
【００６４】
また、低消費電力動作モードから通常動作モードへの復帰は、電源ＳＷ４６をリセットするか、装置の読取り、記録、電話回線を使用した通信、あるいは外部機器との通信を開始すればよく、この開始は復帰信号から判断される。
【００６５】
そして、５７、５８はダイオードであり、第１電源部４７、第２電源部４８からＭＰＵ１１１への電源供給の逆流を防止するものである。また、５９はフォトカプラであり、ＭＰＵ１１１から第１電源部に動作停止信号を光信号に変換して伝えるものである。６０は記録用制御素子４４に接続されたタイマであり、イニシャル回転の時間計測等に使用される。
【００６６】
次に動作について説明する。図６から図９は本実施例による動作を説明するフローチャートである。図６から図９に示したフローはＭＰＵ１１１による全体の制御と記録制御用制御素子４４等の制御とを示したものであり、個々の動作は各部によって行われる。まず、ステップ１０１において、電源ＳＷ４６がオンの状態になると以下の動作を開始する。
ステップ１０２から１０４において、第１電源部４７を立ち上げて、ＭＰＵ１１１と記録制御用制御素子４４とに電源を供給させる。これでＭＰＵ１１１と記録制御用制御素子４４とを立ち上げて、記録制御が可能な体制を整える。
【００６７】
ステップ１０５において、ＭＰＵ１１１から記録制御用制御素子４４にイニシャル回転禁止信号が送られているか否かを検出する。記録制御用制御素子４４はこの信号を送られていないことを検出した場合、ステップ１０６及びステップ１０７において、タイマ６０にタイマカウントをスタートさせ、同時に記録モータＭ２をスタート（駆動）させる。これは記録モータＭ２によるイニシャル回転時間をタイマによりカウントしようとするものである。このイニシャル回転時間は予め決められているものとする。この予め決められた時間をＴ１とする。
【００６８】
次のステップ１０８、１０９において、記録制御用制御素子４４は、タイマ６０のカウントが時間Ｔ１に達すると、記録モータＭ２をストップさせる。同時に、ステップ１１０において、タイマ６０をストップして、タイマカウントをリセットする。その後、処理はステップ１１２に移行する。
【００６９】
また、上記ステップ１０５において、記録制御用制御素子４４がイニシャル回転禁止信号が送られていることを検出した場合、ステップ１１１に進み、ＭＰＵ１１１に対してイニシャル回転禁止信号の停止要求コマンドを送出する。これにより、ＭＰＵ１１１はイニシャル回転禁止信号の送出を停止する。その後、処理はステップ１１２に移行する。そして、ステップ１１２において、ＭＰＵ１１１は電話回線を通じてＣＩ信号が入力されたか否かを検出する。このＣＩ信号は入力端子１１１ａに入力されるものである。ＭＰＵ１１１は、ＣＩ信号が入力されたことを検出した場合、ＣＩ信号検出処理フラグをセットして、処理をステップ１１４に移行する。また、入力されなかったことを検出した場合には、直接ステップ１１４に処理を移行する。
【００７０】
ステップ１１４では、ＭＰＵ１１１は操作部９の入力操作を示すキー入力信号が入力されたか否かを検出する。以降、この種の信号は、図５に示した如く、入力端子１１１ａに入力されるものである。ＭＰＵ１１１は、キー入力信号が入力されたことを検出した場合には、ステップ１１５の如く、キー入力処理フラグをセットして、処理をステップ１１６に移行する。また、入力さなかったことを検出した場合には、直接ステップ１１６に移行する。
【００７１】
ステップ１１６では、読み取り部３に原稿Ｓがセットされたことを示す原稿検知信号がＭＰＵ１１１に入力されたか否かを検出する。入力されたことを検出した場合には、ステップ１１７の如く、原稿処理フラグをセットして、処理をステップ１１８に移行する。また、入力されなかったことを検出した場合には、直接ステップ１１８に移行する。
【００７２】
ステップ１１８では、制御部外部インターフェース５４を通じた外部コンピュータ等の外部機器（端末装置）による起動信号がＭＰＵ１１１に入力されたか否かを検出する。入力されたことを検出した場合には、ステップ１１９の如く、外部入力処理フラグをセットして、処理をステップ１２０に移行する。また、入力されなかったことを検出した場合には、直接ステップ１２０に移行する。
【００７３】
ステップ１２０において、ＣＩ信号検出処理フラグがセットされているか否かを検出し、セットされていることを検出した場合には、ステップ１２１の如く、ＣＩ信号検出処理終了か否かを検出する。ＣＩ信号検出処理が終了していないことを検出した場合には、ステップ１２２に移行してＣＩ信号検出処理を行い、さらに処理をステップ１２４に移行する。
【００７４】
また、上記ステップ１２１において、ＣＩ信号検出処理終了を検出した場合には、ステップ１２３に移行してＣＩ信号検出処理フラグをクリアし、処理をステップ１２４に移行する。なお、上記ステップ１２０において、ＣＩ信号検出処理フラグがセットされていないことを検出した場合には、直接処理をステップ１２４に移行する。
【００７５】
ステップ１２４では、キー入力処理フラグがセットされているか否かを検出し、セットされていることを検出した場合には、ステップ１２５の如く、キー入力処理終了か否かを検出する。キー入力処理が終了していないことを検出した場合には、ステップ１２６に移行してキー入力処理を行い、さらにステップ１２８に移行する。
【００７６】
また、上記ステップ１２５において、キー入力処理終了を検出した場合には、ステップ１２７に移行してキー入力処理フラグをクリアし、処理をステップ１２８に移行する。なお、上記ステップ１２４において、キー入力処理フラグがセットされていないことを検出した場合には、直接処理をステップ１２８に移行する。
【００７７】
ステップ１２８では、原稿処理フラグがセットされているか否かを検出し、セットされていることを検出した場合には、ステップ１２９の如く、原稿処理終了か否かを検出する。原稿処理が終了していないことを検出した場合には、ステップ１３０の如く、原稿処理を行ない、さらにステップ１３２に移行する。
【００７８】
また、上記ステップ１２９において、原稿処理終了を検出した場合には、ステップ１３１に移行して原稿処理フラグをクリアし、処理をステップ１３２に移行する。また、上記ステップ１２８において、原稿処理フラグがセットされていないことを検出した場合には、直接処理をステップ１３２に移行する。
【００７９】
ステップ１３２では、外部入力処理フラグがセットされているか否かを検出し、セットされていることを検出した場合には、ステップ１３３の如く、外部入力処理終了か否かを検出する。外部入力処理が終了していないことを検出した場合には、ステップ１３４の如く、外部入力処理を行い、さらにステップ１３６に移行する。
【００８０】
また、上記ステップ１３３において、外部入力処理が終了していることを検出した場合には、ステップ１３５に移行して外部入力処理フラグをクリアし、処理をステップ１３６に移行する。なお、上記ステップ１３２において、外部入力処理フラグがセットされていない場合には、直接処理をステップ１３６に移行する。
【００８１】
ステップ１３６では、再度ＣＩ信号検出処理フラグがセットされているか否かを検出し、セットされていることを検出した場合には、処理をステップ１１２に戻す。また、セットされていないことを検出した場合には、処理をステップ１３７に進める。
【００８２】
ステップ１３７では、再度キー入力処理フラグがセットされているか否かを検出し、セットされていることを検出した場合には、処理をステップ１１２に戻す。また、セットされていないことを検出した場合には、処理をステップ１３８に進める。
【００８３】
ステップ１３８では、再度原稿処理フラグがセットされているか否かを検出し、セットされていることを検出した場合には、処理をステップ１１２に戻す。また、セットされていないことを検出した場合には、処理をステップ１３９に進める。
【００８４】
ステップ１３９では、再度外部入力処理フラグがセットされているか否かを検出し、セットされていることを検出した場合には、処理をステップ１１２に戻す。また、セットされていないことを検出した場合には、処理をステップ１４０に進める。
【００８５】
上述したステップ１３６から１３９において、いずれのフラグもセットされていないことを検出した場合には、装置が待機状態であるという判定を下して、ステップ１４０において、第１電源部動作停止信号を出力し、次のステップ１４１において、第１電源部４７の動作を停止する。第１電源部４７の動作を停止させることにより、ステップ１４２の如く、記録制御用制御素子４４への電源供給がストップして、記録制御用制御素子４４は動作を停止する。
【００８６】
また、ＭＰＵ１１１においても第１電源部４７からの電源供給が断たれ、ステップ１４３の如く、電源供給源が第２電源部４８に切り替わる。さらに、ＭＰＵ１１１は、自身を低消費電力動作モードにセットする。
【００８７】
低消費電力動作モードとなったＭＰＵ１１１は、復帰信号の入力端子１１１ａによって、ステップ１４５の如く、電話回線を通じてＣＩ信号が入力しているか否かを検出する。ＣＩ信号が入力していることを検出した場合には、ステップ１４６の如く、ＭＰＵ１１１は通常動作モードに復帰し、ステップ１４７に移行してＣＩ信号検出処理フラグをセットする。
【００８８】
さらに、ＭＰＵ１１１は、ステップ１５７に移行してイニシャル回転禁止信号を記録制御用制御素子４４に対して出力するとともに、ステップ１５８において、第１電源部動作停止信号の第１電源部４７への出力を停止し、ステップ１５９の如く、第１電源部４７の動作を再開させる。そして、ステップ１６０の如く、ＭＰＵ１１１への電源供給源は第２電源部４８から第１電源部４７に切り替わり、処理はステップ１０４に戻る。なお、上記ステップ１４５において、ＣＩ信号が入力していないことを検出した場合には、処理はステップ１４８に移行する。ステップ１４８では、ＭＰＵ１１１は、復帰信号の入力端子１１１ａによって、操作部９による入力操作があったか否かを検出する。入力操作があったことを検出した場合には、ステップ１４９の如く、ＭＰＵ１１１は通常動作モードに復帰して、ステップ１５０の如く、キー入力処理フラグをセットして、処理をステップ１５７に移行する。
【００８９】
さらに、ＭＰＵ１１１は、ステップ１５７〜ステップＳ１６０において、上述の処理を行う。なお、上記ステップ１４８において、入力操作がないことを検出した場合には、処理をステップ１５１に移行する。
【００９０】
ステップ１５１では、ＭＰＵ１１１は、復帰信号の入力端子１１１ａによって、読み取り部３に原稿がセットされたか否かを検出する。原稿がセットされたことを検出した場合には、ステップ１５２の如く、ＭＰＵ１１１は通常動作モードに復帰して、ステップ１５３の如く、原稿処理フラグをセットして、処理をステップ１５７に移行する。
【００９１】
さらに、ＭＰＵ１１１は、ステップ１５７〜ステップＳ１６０において、上述の処理を行う。なお、上記ステップ１５１において、原稿がセットされなかったことを検出した場合には、処理をステップ１５４に移行する。
【００９２】
ステップ１５４では、ＭＰＵ１１１は、復帰信号の入力端子１１１ａによって、外部インターフェース５４を通じて外部コンピュータ等の外部機器から入力があったか否かを検出する。入力があったことを検出した場合には、ステップ１５５の如く、ＭＰＵ１１１は通常動作モードに復帰して、ステップ１５６の如く、外部入力処理フラグをセットして、処理をステップ１５７に移行する。
【００９３】
さらに、ＭＰＵ１１１は、ステップ１５７〜ステップＳ１６０において、上述の処理を行う。なお、上記ステップ１５４において、入力がなかったことを検出した場合には、処理をステップ１４５に移行する。
【００９４】
以上説明したように第１の実施の形態におけるファクシミリ装置によれば、低消費電力動作モードから通常動作モードへの切り換えの際にイニシャル回転を禁止するようにしたので、低消費電力動作モードから通常動作モードに移行した際に、イニシャル回転は行わず、これにより、装置が待機状態から動作状態へ復帰した場合、直ちに記録動作に入ることができるという効果がある。また、これはイニシャル回転を電源投入時にのみ実施する動作とすることができる。
【００９５】
さらに、第１の実施の形態におけるファクシミリ装置によれば、通常動作モードとしてオフフックの動作も含められるので、待機状態から通常動作モードに復帰しても直ちにファクシミリ受信の記録動作に入ることができる。
【００９６】
［第２の実施の形態］
第２の実施の形態は、上述した第１の実施の形態において、交流電源４９の立ち上げ時におけるイニシャル回転の制御を新たに付加したものである。この第２実施例では、全体構成を第１実施例と同様とするため、その構成と動作について説明を省略し、以下に同様の符号を用いて説明する。
【００９７】
図１０は本発明の第２の実施の形態におけるファクシミリ装置の要部の構成を示すブロック図であり、図１１は第２の実施の形態のファクシミリ装置の主要な動作処理手順を説明するフローチャートである。まず、構成について、図１０に示した如く、ＭＰＵ１１１の入力端子１１１ａには、図５に示した各信号の他に、不図示のセンサによって、転写材の詰まり状態を示す転写材詰まり検出信号と、記録不能な各種の故障状態を示す故障検出信号が信号線を通して電気的に接続されている。
【００９８】
動作としては、図１１に示した如く、ステップ１０４（図６）で記録制御用制御素子４４の動作を開始させた後、ステップ２０１において、給紙部から排紙部までの搬送系に転写材による転写材詰まり状態が検出され、また、ステップ２０２において、故障状態が検出される。上記ステップ２０１、２０２により、転写材詰まり検出信号、故障検出信号のいずれか一方でもＭＰＵ１１１に検出された場合には、記録不能状態として、イニシャル回転を禁止するために、処理はステップ１５７に移行し、イニシャル回転禁止信号の送出が行われる。これに従って、モータＭ２は非動作状態を保持することになる。
【００９９】
このように、第２の実施の形態では、予め異常が検出されているときのイニシャル回転を禁止することができる。これにより、記録不能な状態でイニシャル回転を実施するような無駄な動作を防止することができる。
【０１００】
第１および第２の実施の形態では、イニシャル回転禁止信号を停止するために、ステップ１１１の如く、イニシャル回転禁止信号停止コマンドを送出したが、このコマンドの替わりにイニシャル回転禁止信号停止信号を送出してもよく、またＭＰＵ１１１がイニシャル回転禁止信号送出後、タイマを用いて一定時間後にイニシャル回転禁止信号の送出を停止するようにしてもよい。
【０１０１】
また、ハンドセット５３を装置に接続している場合、装置が待機中であり、ＭＰＵ１１１が低消費電力動作モードのときに、ハンドセット５３がオフフックとなった場合も、ＣＩ信号の入力、キー入力、原稿セット或いは外部コンピュータ等の外部機器からの起動がなされた場合と同様に通常動作モードに移行するようにしてもよい。
【０１０２】
以上示したように、第２の実施の形態におけるファクシミリ装置によれば、低消費電力動作モードから通常動作モードに切り換える際に、イニシャル回転を禁止するようにしたので、装置が記録待機状態から動作状態に復帰した場合、直ちに記録動作に入ることができるという効果がある。
【０１０３】
また、イニシャル回転を電源投入時には必ず実施して、所要の部分の初期化や故障検知などの実行を確保できる。特に、低消費電力動作モードから通常動作モードへの移行が電源立ち上げによるものか、それとも記録待機状態からの遷移なのかを判断することが可能となり、通信時間の短いファクシミリ受信があっても、直ちに記録動作に入ることができる。これは、故障でもないのにわざわざメモリ代行受信を実行するような無駄な動作を除去できると共に、緊急なファクシミリに対してメモリから取り出すような時間の浪費を防止できる。
【０１０４】
［第３の実施の形態］
図１２は第３の実施の形態におけるファクシミリ装置の構成を示すブロック図である。本実施の形態では、前記第１の実施の形態と異なる部分について説明し、同一の部分については前記第１の実施の形態と同一の符号を付してその説明を省略する。
【０１０５】
電源接続部６８はＭＰＵ１１１の指令にしたがって第１電源部４７からの電力を記録部５１側に供給するか否かを切り換える。ＭＰＵ１１１は電源接続部６８を制御して通常動作モードおよび低消費電力動作モード間を移行する。
【０１０６】
読み取り制御素子６１は、密着型イメージセンサ１２３によって読み取った画像を適正なレベルにディジタル化し、画像処理による２値化処理を施す。ＣＯＤＥＣ−ＩＣ６２は読み取り制御素子６１により出力される２値化データをあらかじめ定められたＭＨあるいはＭＲ方式で符号化し、画像ＲＡＭ１１３に蓄積する。
【０１０７】
画像ＲＡＭ１１３に蓄積された画像データは、送信あるいは記録に用いられる。ここで、低消費電力動作モードへの移行は、画像ＲＡＭ１１３に記録しようとする所定ページ（本実施の形態では１ページ）分の画像データが蓄積されていない場合、あるいは記録が動作していない場合に実行される。
【０１０８】
低消費電力動作モードへの移行に際し、ＭＰＵ１１１から電源接続部６８に電源供給停止信号が送出される。また、低消費電力動作モードから通常動作モードへの復帰は、画像ＲＡＭ１１３に記録しようとする１ページ分の画像データが蓄積されたことにより実行され、このとき同時にＭＰＵ１１１から電源接続部６８に電源供給停止信号の送出が中止される。
【０１０９】
そして、電源接続部６８への電源供給停止信号の送出を中止したことにより、第１電源部４７から電源接続部６８を介して記録制御素子４４への通電動作が開始される。動作を開始した記録制御素子４４は記録各部のジャムや故障などの状態検出を行い、記録動作を開始可能であるか否かを判断する。記録可能であれば、ＭＰＵ１１１に記録動作可能信号を送出する。
【０１１０】
ＭＰＵ１１１は記録動作可能信号を受け取ると、画像ＲＡＭ１１３内のデータを再びＣＯＤＥＣ−ＩＣ６２によって復号化する。そして、記録画像データ制御素子６４を介して複数のラインバッファを含むリングバッファ６５に転送する。リングバッファ６５にデータが満たされると、記録制御素子４４に対して記録の起動がかけられ、記録動作が開始される。
【０１１１】
記録の起動によって記録制御素子４４はモータＭ２を起動する。同時に記録制御素子４４はＭＰＵ１１１に対し、記録動作中であることを報知する。モータＭ２のスローアップが終了した場合、第１カセット２９あるいは第２カセット３０にセットされた転写材Ｐを給紙ソレノイドＳＬ１あるいはＳＬ２によって回転する給紙ローラ２９ａあるいは３０ａによって１枚ずつ分離し、搬送する。
【０１１２】
搬送された転写材Ｐへの記録はレジセンサによってタイミングが取られる。転写材Ｐはアクチュエータ（図示せず）を作動させ、アクチュエータがレジセンサとして用いられているフォトインタラプタの光路を妨げる。これによって記録制御素子４４は転写材Ｐの先端を検知する。
【０１１３】
転写材Ｐの先端検知と同時に記録制御素子４４はタイマーカウンタＴ１を起動させる。タイマーカウンタＴ１の値が所定値に達したとき、記録制御素子４４はＭＰＵ１１１に対し垂直同期信号を出力する。ＭＰＵ１１１は垂直同期信号を受信するとタイマーカウンタＴ２を起動させる。
【０１１４】
タイマーカウンタＴ２の値が所定値に達したとき、ＭＰＵ１１１は記録画像データ制御素子６４に対し、レーザの光路内に設置された固定ミラー（図示せず）にレーザ光を入射することにより記録制御素子４４から生成される水平同期信号の受信を許可する。
【０１１５】
記録画像データ制御素子６４は記録制御素子４４から一定時間おきに入力される水平同期信号に応じてリングバッファ６５内のラインバッファから１ライン分の２値データを記録制御素子４４に送出する。
【０１１６】
記録制御素子４４はリングバッファ内６５のラインバッファから送られてきた１ライン分の２値データに応じてレーザダイオードのオン／オフを行う。同時に画像形成部５を動作させ、感光ドラム２１上にトナー像を形成する。トナー像が形成された感光ドラム２１が転写材Ｐへの転写位置まで回転したとき、その転写開始が転写材Ｐの所定位置になるように垂直同期信号の送出タイミングが設定されている。
【０１１７】
転写材Ｐが画像の記録と共に搬送され、後端がアクチュエータを過ぎてアクチュエータがホームポジションに戻ったとき、アクチュエータはレジセンサに用いられているフォトインタラプタの光路を解放し、これによって記録制御素子４４は転写材Ｐの後端を検知する。転写材Ｐの後端検出と同時に、記録制御素子４４はタイマ３を起動する。そして、タイマ３が所定値に達したとき、記録制御素子４４はＭＰＵ１１１に対し、改頁要求信号を送出する。ＭＰＵ１１１は、記録制御素子４４からの改頁要求信号に対し、さらに記録しようとする画像が存在するか否かをチェックし、存在する場合、記録制御素子４４に対し改頁信号を送出する。
【０１１８】
記録制御素子４４はＭＰＵ１１１から受けた改頁信号によって、再度第１カセット２９あるいは第２カセット３０にセットされた転写材Ｐを分離し、搬送して記録を行う。
【０１１９】
ＭＰＵ１１１は、記録制御素子４４からの改頁要求信号に対し、記録しようとする画像が存在しない場合、記録制御素子４４に対し改頁信号を送出しない。記録制御素子４４はタイマ３の既定範囲内に改頁信号を受け取らなかった場合、記録終了手順を行う。そして、記録終了手順終了後、ＭＰＵ１１１に対し、記録動作中でないことを報知する。
【０１２０】
ＭＰＵ１１１は、記録制御素子４４から記録動作中でないことの報知を受けると、画像ＲＡＭ１１３に記録しようとする画像データが少なくとも１ページ分存在するか否かをチェックする。
【０１２１】
上記画像データが存在する場合、記録のための画像データ処理を開始する。上記画像データが存在しない場合、ＭＰＵ１１１から電源接続部４８へ電源供給停止信号が送出され、第１電源部４７から記録制御素子４４への通電が停止される。これにより、ファクシミリ装置は通常動作モードから低消費電力動作モードに移行する。
【０１２２】
以上示したように、本実施の形態のファクシミリ装置によれば、実際に記録動作を行うとき以外は低消費電力動作モードとし、通常動作モードへの移行を記録動作が開始されるときに行うようにしたので、記録動作が行われていない待機状態では必要以上の電力が消費されないように制御される。
【０１２３】
図１５は第３の実施の形態におけるファクシミリ装置の動作処理手順を示すフローチャートである。この動作処理手順は、ＭＰＵ１１１による全体制御と記録制御用制御素子４４などの制御とを示したものであり、個々の動作は各部によって行われる。
【０１２４】
電源スイッチ４６がオンすると（ステップＳ３０１）、第１電源部４７のスイッチング電源が動作を開始する。そして、第１電源部４７からＭＰＵ１１１に電源供給が開始され、ＭＰＵ１１１が動作を開始する（ステップＳ３０２）。ＭＰＵ１１１からＬレベルの電源供給停止信号を出力する（ステップＳ３０３）。
【０１２５】
電源接続部６８から記録制御素子４４に電源供給が開始される（ステップＳ３０４）。そして、記録制御素子４４が動作を開始する（ステップＳ３０５）。
【０１２６】
記録制御素子４４は記録部５１のイニシャル回転動作を開始する（ステップＳ３０６）。記録制御素子４４はイニシャル回転処理終了後（ステップＳ３０７）、記録部５１のイニシャル回転動作を停止させる。ＭＰＵ１１１は画像ＲＡＭ１１３に１ページ分の記録画像が蓄積済みか否かを判別する（ステップＳ３０８）。画像ＲＡＭ１１３に１ページ分の記録画像が蓄積済みである場合、ステップＳ３０９に移行し、そうでない場合ステップＳ３１１に移行する。
【０１２７】
ステップＳ３０９では画像ＲＡＭ１１３に蓄積された１ページ分の画像の記録を開始する。画像ＲＡＭ１１３に蓄積された１ページ分の画像の記録終了を監視し（ステップＳ３１０）、その記録が終了するとステップＳ３０８に戻る。次の１ページ分の画像が画像ＲＡＭ１１３に蓄積済みである場合、ステップＳ３０９で次の１ページの記録を開始し、それ以降、記録すべき画像がなくなるまでステップＳ３０８、Ｓ３０９、Ｓ３１０の処理を繰り返し実行する。
【０１２８】
一方、ステップＳ３１１では、ＭＰＵ１１１からＨレベルの電源供給停止信号を出力する。電源接続部６８から記録制御素子４４への電源供給を停止する（ステップＳ３１２）。記録制御素子４４の動作を終了する（ステップＳ３１３）。
【０１２９】
１ページ分の画像が画像ＲＡＭ１１３に蓄積済みか否かを判別する（ステップＳ３１４）。１ページ分の画像が画像ＲＡＭ１１３に蓄積済みである場合、ステップＳ３０２に戻り、前述した処理を繰り返す。
【０１３０】
以上示したように、本実施の形態におけるファクシミリ装置によれば、ステップＳ３１４で１ページ分の画像が蓄積されたことが判別された後に、記録部５１に対して電源供給するので、１ページ分の画像が蓄積される前に記録部に電源供給を開始するものに較べ、消費電力を少なくできる。
【０１３１】
また、画像ＲＡＭ１１３に１ページ分の画像データが蓄積された際、低消費電力動作モードから通常動作モードに切り換えるようにしたので、無駄な電力消費を効果的に低減できる効果がある。
【０１３２】
［第４の実施の形態］
第４の実施の形態におけるファクシミリ装置は、前記第３の実施の形態におけるファクシミリ装置にイニシャル回転の制御を追加したものである。本実施の形態におけるファクシミリ装置の全体構成は前記第３の実施の形態と同様であるので、その構成および動作についての説明を省略し、同一の部分について同一の符号を用いることとする。
【０１３３】
図１３は第４の実施の形態におけるファクシミリ装置の要部の構成を示すブロック図である。記録制御素子４４には図１２に示した各信号の他にイニシャル回転禁止信号が信号線を通じて電気的に接続されている。
【０１３４】
ファクシミリ装置の動作について説明する。電源スイッチ４６がオン状態になると、ＭＰＵ１１１には電源供給が開始され、ＭＰＵ１１１は動作を開始し、装置全体の制御が可能になる。ここで、ＭＰＵ１１１は動作開始時から継続して、電源接続部６８に対し、電源供給停止信号を送出する。また、ＭＰＵ１１１は記録制御素子４４に対し、イニシャル回転禁止信号を送出しない状態を継続する。電源接続部６８は電源供給停止信号を検出すると、記録制御素子４４および記録モータＭ２を含む記録部５１に対し、電源供給を行わない。
【０１３５】
電力が供給されているＭＰＵ１１１は、ＲＯＭ１１２に記述された手順に従い、プログラムの先頭アドレスからイニシャル手順を実行する。このイニシャル手順の中で、ＭＰＵ１１１は電源接続部６８に対し、電源供給停止信号の送出を中止する。この電源供給停止信号の送出中止により、電源接続部６８は記録制御素子４４および記録部５１に電源供給を開始する。これにより、ファクシミリ装置は低消費電力動作モードから通常動作モードに移行する。
【０１３６】
電源供給が開始された記録制御素子４４は、記録制御が可能になるための動作を実行する。ここで、電子写真方式を用いた画像形成装置では、電源立ち上げ時にまずジャム検知、装置の開閉蓋の状態チェックが行われ、正常である場合、転写材搬送用モータを駆動させてイニシャル回転を行わせる。これにより、電子写真プロセス部の初期化、定着器への短時間通電時の温度検出による故障検知、トナー有無チェックなどが行われる。この動作を完了するために少なくとも電子写真プロセス部の感光体ドラムを１回転させるための時間が必要である。
【０１３７】
この動作に際し、記録制御素子４４は電源供給開始時に各種インストラクションを記述したＲＯＭの内容を読み出し、ＭＰＵ１１１からイニシャル回転禁止信号が送出されているか否かをチェックする。記録制御素子４４はＭＰＵ１１１からイニシャル回転禁止信号が送出されていないことを確認した後、電源投入時のプログラムルーチンによりイニシャル回転を含む上記動作を行うようになっている。
【０１３８】
記録制御素子４４が動作を開始してイニシャル回転を終了するまでの間、記録制御素子４４はＭＰＵ１１１に対し記録動作中の報知を継続する。そして、イニシャル回転終了後、記録動作中の報知を中止する。
【０１３９】
ＭＰＵ１１１は、記録制御素子４４からの記録動作中の報知が中止されたことを検出すると、電源接続部６８に対し、電源供給停止信号の送出を開始する。これにより、電源接続部６８は記録制御素子４４および記録部５１への電源供給を停止する。そして、ファクシミリ装置は通常動作モードから低消費電力動作モードに移行する。これが電源スイッチ４６をオンにしたときのイニシャル回転に関わる制御である。
【０１４０】
つぎに、電話回線を通じた画像の受信、コピー動作のための画像データの読み取り、あるいは外部インターフェースを通じて外部コンピュータ機器から画像ＲＡＭ１１３に１ページ分の画像データが蓄積されたときのイニシャル回転に関わる制御について説明する。
【０１４１】
画像ＲＡＭ１１３に１ページ分の画像データが蓄積されると、電源接続部６８への電源供給停止信号の送出が中止される。このとき同時に、ＭＰＵ１１１は記録制御素子４４に対し、イニシャル回転禁止信号を送出する。
【０１４２】
電源接続部６８はＭＰＵ１１１から電源供給停止信号の解除を検出すると、記録制御素子４４および記録モータＭ２を含む記録部５１への電源供給を再開する。電源供給再開により、ファクシミリ装置は低消費電力動作モードから通常動作モードに移行し、また、記録制御素子４４が立ち上がって記録制御が可能になる。
【０１４３】
記録制御素子４４は、電源供給開始により記録動作のための各種インストラクションを記述したＲＯＭの内容の読み出しを開始し、手順を実行する。その手順の中で、記録制御素子４４は、ＭＰＵ１１１からイニシャル回転禁止信号が送出されているか否かをチェックする。ここで、記録制御素子４４はＭＰＵ１１１からイニシャル回転禁止信号が送出されていることを確認して、イニシャル回転処理手順を実行せずにスキップして、記録手順の実行を開始する。
【０１４４】
以上示したように、第４の実施の形態におけるファクシミリ装置によれば、低消費電力動作モードから通常動作モードへの切り替えの際にイニシャル回転を禁止するようにしたので、低消費電力動作モードから通常動作モードに移行した際、イニシャル回転を行わず、これにより前記第３の実施の形態で得られる効果に加え、ファクシミリ装置が待機状態から動作状態に復帰した場合、直ちに記録動作に入ることができる。また、イニシャル回転を電源投入時に必ず実施して所要部分の初期化や故障検知等の実行を確保できる。
【０１４５】
図１６は第４の実施の形態におけるファクシミリ装置の動作処理手順を示すフローチャートである。前記第３の実施の形態と異なる部分を説明し、同一の部分については同一の符号を付してその説明を省略する。
【０１４６】
ステップＳ４０１では、ＭＰＵ１１１からＬレベルのイニシャル回転禁止信号を出力する。ステップＳ４０２では、ＭＰＵ１１１からＨレベルのイニシャル回転禁止信号が出力されているか否かを判別し、Ｈレベルのイニシャル回転禁止信号が出力されている場合、ステップＳ３０８に移行し、出力されていない場合、ステップＳ３０６に移行する。ステップＳ４０３では、ＭＰＵ１１１からＨレベルのイニシャル回転禁止信号を出力する。
【０１４７】
［第５の実施の形態］
第５の実施の形態は、前記第４の実施の形態にさらにイニシャル回転制御を追加したものである。本実施の形態では、前記第４の実施の形態と同様の全体構成を有し、その同一の構成および動作についての説明を省略し、異なる部分について説明する。
【０１４８】
図１４は第５の実施の形態におけるファクシミリ装置の要部の構成を示すブロック図である。ＭＰＵ１１１には図１２、図１３に示した各信号の他に、図示しないセンサによって転写材の詰まり状態を示す転写材詰まり検出信号と、記録不能な各種の故障状態を示す故障検出信号が信号線を通じて電気的に接続されている。
【０１４９】
ファクシミリ装置の動作については、以下の点が前記第４の実施の形態と異なる。図１７は第５の実施の形態におけるファクシミリ装置の動作処理手順を示すフローチャートである。前述のイニシャル手順の中で、ＭＰＵ１１１は記録系の給紙部から排紙部までの搬送系に転写材の転写材詰まり状態あるいは故障状態があるか否かを検出する。転写材詰まり検出信号あるいは故障検出信号のいずれか一方がＭＰＵ１１１によって検出された場合、記録不能状態としてイニシャル回転を禁止する。
【０１５０】
また、ファクシミリ装置は、低消費電力動作モードから通常動作モードに移行する際、電源供給が開始された記録制御素子４４は、前記第４の実施の形態で示した記録制御が可能な状態を整えるための動作と、ＭＰＵ１１１で検出された記録不能の原因となる状態がないかどうかを調査するための動作とを実行する。
【０１５１】
この動作に際し、記録制御素子４４は、電源供給開始時に記録動作のための各種インストラクションを記述したＲＯＭの内容を読み出し、ＭＰＵ１１１からイニシャル回転禁止信号が送出されているか否かをチェックする。ここで、ＭＰＵ１１１はイニシャル回転禁止信号が送出されていることを確認し、電源投入時のプログラムルーチンにより、イニシャル回転を行わずに状態チェックを行う。これにより、モータＭ２は非動作状態を保持することになる。
【０１５２】
このように、第５の実施の形態では、予め異常が検出されているときのイニシャル回転を禁止することができる。これにより、記録不能な状態でイニシャル回転を実施するような無駄な動作を防止できる。
【０１５３】
［第６の実施の形態］
前記第１の実施の形態では、記録制御素子４４は電源供給開始に応じて自動的にイニシャル回転を行うが、第６の実施の形態では、ＭＰＵ１１１からイニシャル回転実行信号が入力された場合に記録制御素子４４はイニシャル回転を行う。
【０１５４】
また、ＭＰＵ１１１は電源スイッチ４６がオンしたとき、つまりＭＰＵ１１１が動作を開始したときにイニシャル回転実行信号を出力する。図１８は第６の実施の形態におけるファクシミリ装置の要部の構成を示すブロック図である。図１９および図２０は第６の実施の形態におけるファクシミリ装置の動作処理手順を示すフローチャートである。図１９において、図６と同一の処理については同一の符号を付してその説明を省略する。
【０１５５】
ステップＳ６０１では、記録制御素子４４は、ＭＰＵ１１１からイニシャル回転実行信号が出力されているか否かを検出し、イニシャル回転実行信号が検出されている場合、ステップＳ１０６に移行する。イニシャル回転実行信号が検出されていない場合、ステップＳ６０２に移行する。ステップＳ６０２では、記録制御素子４４は、ＭＰＵ１１１にイニシャル回転実行信号停止コマンドを送出する。図２０では、ステップＳ１４７、Ｓ１５０、Ｓ１５３、Ｓ１５６からステップＳ１５８に処理が進む。
【０１５６】
［第７の実施の形態］
図２１は第７の実施の形態におけるファクシミリ装置の動作処理手順の主要部を示すフローチャートである。本実施の形態における動作処理は前記第６の実施の形態における動作処理手順とほぼ同様であるので、図１９および図２０と同一の処理手順についての説明を省略し、異なる部分について説明する。
【０１５７】
即ち、図１９のステップＳ１０４で記録制御用制御素子４４の動作を開始させた後、ステップＳ２０１において、給紙部から排紙部までの搬送系に転写材による転写材詰まり状態が検出され、また、ステップＳ２０２において、故障状態が検出される。上記ステップＳ２０１、Ｓ２０２により、転写材詰まり検出信号、故障検出信号のいずれか一方でもＭＰＵ１１１によって検出された場合には、ステップ１５８に移行し、第１電源部４７の動作停止信号をクリアする。また、ステップＳ２０２で転写材詰まり検出信号、故障検出信号のいずれも検出されない場合、ステップＳ６０１に進む。
【０１５８】
尚、前記第１〜第７の実施の形態において、電源スイッチ４６（図５、図１２、図１３、図１４、図１８に図示）を省き、商用電源のインレットに電源コードのプラグ（図示せず）を差し込んだときに第１電源部４７（図５、図１２、図１３、図１４、図１８に図示）への電力供給が開始されるようにすることもできる。このとき、ステップＳ１０１（図６、図１９）およびステップＳ３０１（図１５、図１６、図１７）の処理は「電源の投入」となる。
【０１５９】
【発明の効果】
本発明の請求項１に係る画像形成装置によれば、記録媒体上に形成すべき像を転写するための転写材を搬送する転写材搬送手段と、該転写材搬送手段を駆動する駆動手段と、通常の電力により装置を動作させる通常動作モードと前記通常の電力よりも低い低消費電力により前記装置を動作させる低消費電力動作モードとを切り替えて電力消費を制御する制御手段とを備えた画像形成装置において、前記低消費電力動作モードから前記通常動作モードに切り換えた際、前記転写材搬送手段の駆動を禁止するための信号を生成する生成手段と、前記生成手段により生成された信号に従って前記駆動手段による駆動を禁止する禁止手段とを有するので、低消費電力動作モードから通常動作モードへの切り換えの際に、生成手段により生成された信号に従って、禁止手段により転写材搬送手段の駆動を禁止してイニシャル回転を禁止するようにしたことにより、装置が待機状態から動作状態へ復帰した場合、直ちに記録動作に入ることができるという効果がある。
【０１６０】
請求項２に係る画像形成装置によれば、装置への電源の接続／切断を切り換える電源接続手段を有し、前記禁止手段は、前記電源接続手段が接続状態にある状態で前記低消費電力動作モードから前記通常動作モードに切り換えた際前記生成手段により生成された信号に従って前記駆動手段による駆動を禁止する一方、前記電源接続手段が切断状態から接続状態にされたときは、前記生成手段により生成された信号に拘わらず前記駆動手段による駆動を許容するので、電源接続手段が切断状態から接続状態にされたときは、禁止手段により、前記生成手段により生成された信号に拘わらず前記駆動手段による駆動が許容されることにより、駆動手段による駆動を電源投入時に実施して所要の部分の初期化や故障検知等の実行を確保することができる。
【０１６１】
特に、低消費電力動作モードから通常動作モードへの移行が電源立ち上げによるものか、それとも待機状態からの遷移なのかを判断することが可能になり、通信時間の短いファクシミリ受信があっても、直ちに記録動作に入ることができる。これは、故障でもないのにわざわざメモリ代行受信を実行するような無駄な動作を除去できるとともに、緊急なファックスに対してメモリから取り出すような時間の浪費を防止することができる。さらに、外部機器の出力装置として起動がかけられると直ちに記録動作を開始できるので、従来のように外部機器に対してエラーを返答するようなことはなく、より一層の対応能力を向上させることができる。
【０１６２】
請求項３に係る画像形成装置によれば、装置への電源の接続／切断を切り換える電源接続手段と、装置内での転写材の詰まり状態を検出する詰まり状態検出手段とを有し、前記制御素子は、前記電源接続手段が切断状態から接続状態にされた際に前記詰まり状態検出手段により前記転写材の詰まり状態が検出されたとき、前記駆動手段による駆動を禁止する第２の禁止手段を有するので、記録不能な状態で駆動手段により駆動するような無駄な動作を防止できる。
【０１６３】
請求項４にに係る画像形成装置によれば、装置への電源の接続／切断を切り換える電源接続手段と、装置内での故障を検出する故障検出手段とを有し、前記制御素子は、前記電源接続手段が切断状態から接続状態にされた際に前記故障検出手段により故障が検出されたとき、前記駆動手段による駆動を禁止する第３の禁止手段を有するので、記録不能な状態で駆動手段により駆動するような無駄な動作を防止できる。
【０１７０】
請求項５に係る画像形成装置によれば、記録媒体に画像を記録すると共に該記録のための準備処理を行う記録手段と、通常の電力により装置を動作させる通常動作モードおよび前記通常の電力よりも低い低消費電力により前記装置を動作させる低消費電力動作モードを有する電源手段と、該電源手段の前記通常動作モードと前記低消費電力動作モードとを切り替えて電力消費を制御する制御手段と、前記電源手段の装置への接続／切断を切り換える電源接続手段とを備え、前記電源接続手段により前記電源手段が切断から接続に切り換えられた場合、前記記録手段は前記準備処理を行い、前記制御手段により前記電源手段が前記低消費電力動作モードから前記通常動作モードに切り換えられた場合、前記記録手段は前記準備処理を行わないので、無駄な準備処理を行わずに済み、部品の寿命が短くなることを防止し、電力消費も少なくできる。
【０１７１】
請求項６に係る画像形成装置によれば、前記記録手段は、前記低消費電力動作モードで電力供給されず、該電力供給の開始を受けて前記準備処理を開始し、前記制御手段は、前記電源手段を前記低消費電力動作モードから前記通常動作モードに切り換える場合、前記記録手段による前記準備処理を禁止するので、無駄な準備処理を行わずに済み、部品の寿命が短くなることを防止し、電力消費も少なくできる。
【０１７２】
請求項７に係る画像形成装置によれば、前記記録手段は、前記制御手段から前記準備処理の実行命令を受けた場合、前記準備処理を実行し、前記制御手段は、前記電源接続手段による切断から接続への切り換えを検出した場合、前記記録手段に前記準備処理の実行命令を出力するので、無駄な準備処理を行わずに済み、部品の寿命が短くなることを防止し、電力消費も少なくできる。
【０１７３】
請求項８に係る画像形成装置によれば、前記記録手段は、前記記録媒体を搬送する搬送手段を備え、前記準備処理は、該搬送手段の駆動であるので、無駄に搬送手段を駆動しなくて済み、搬送手段を駆動する部品の寿命が短くなることを防止し、電力消費も少なくできる。
【０１７４】
請求項９に係る画像形成装置によれば、前記記録手段は、電子写真方式により前記記録媒体に画像を記録し、前記準備処理は、電子写真プロセス部の初期化、定着器の故障検知およびトナーの有無のチェックを含むので、無駄に電子写真方式による記録の準備を行わずに済み、電子写真方式における部品の寿命が短くなることを防止し、電力消費も少なくできる。
【０１７５】
請求項１０に係る画像形成装置によれば、前記電源接続手段は電源コードのプラグであり、前記電源の切断とは商用電源のインレットから前記プラグが抜かれた状態であり、前記電源の接続とは前記商用電源のインレットへ前記プラグが差し込まれた状態であるので、電源スイッチを省くことができ、部品点数を少なくして装置の製造コストを安価にできる。
【０１７６】
請求項１１に係る画像形成装置によれば、前記画像形成装置はファクシミリ装置であるので、ファクシミリ装置が待機状態から動作状態へ復帰した場合、直ちに記録動作に入ることができる。
【図面の簡単な説明】
【図１】本発明の一実施例であるファクシミリ装置の内部構成を示す側断面図である。
【図２】図１に示したファクシミリ装置の外観斜視図である。
【図３】図１に示したファクシミリ装置の外観斜視図である。
【図４】図１に示したファクシミリ装置の制御系を示すブロック図である。
【図５】図１に示した制御部の構成を示すブロック図である。
【図６】図１に示したファクシミリ装置の動作を説明するフローチャートである。
【図７】図１に示したファクシミリ装置の動作を説明するフローチャートである。
【図８】図１に示したファクシミリ装置の動作を説明するフローチャートである。
【図９】図１に示したファクシミリ装置の動作を説明するフローチャートである。
【図１０】本発明の第２の実施の形態におけるファクシミリ装置の要部の構成を示すブロック図である。
【図１１】第２の実施の形態のファクシミリ装置の主要な動作処理手順を説明するフローチャートである。
【図１２】第３の実施の形態におけるファクシミリ装置の構成を示すブロック図である。
【図１３】第４の実施の形態におけるファクシミリ装置の要部の構成を示すブロック図である。
【図１４】第５の実施の形態におけるファクシミリ装置の要部の構成を示すブロック図である。
【図１５】第３の実施の形態におけるファクシミリ装置の動作処理手順を示すフローチャートである。
【図１６】第４の実施の形態におけるファクシミリ装置の動作処理手順を示すフローチャートである。
【図１７】第５の実施の形態におけるファクシミリ装置の動作処理手順を示すフローチャートである。
【図１８】第６の実施の形態におけるファクシミリ装置の要部の構成を示すブロック図である。
【図１９】第６の実施の形態におけるファクシミリ装置の動作処理手順を示すフローチャートである。
【図２０】図１９につづく第６の実施の形態におけるファクシミリ装置の動作処理手順を示すフローチャートである。
【図２１】第７の実施の形態におけるファクシミリ装置の動作処理手順の主要部を示すフローチャートである。
【符号の説明】
３  読み取り部
８  通信部
９  操作部
１０  表示部
１１  制御部
４４  記録制御用制御素子
４６  電源ＳＷ
４７  第１電源部
４８  第２電源部
４９  交流電源
６８  電源接続部
１１１  ＭＰＵ
１１１ａ  入力端子
１１３  画像ＲＡＭ
【図１】
0003563852.tif 000002
【図２】
0003563852.tif 000003
【図３】
0003563852.tif 000004
【図４】
0003563852.tif 000005
【図５】
0003563852.tif 000006
【図６】
0003563852.tif 000007
【図７】
0003563852.tif 000008
【図８】
0003563852.tif 000009
【図９】
0003563852.tif 000010
【図１０】
0003563852.tif 000011
【図１１】
0003563852.tif 000012
【図１２】
0003563852.tif 000013
【図１３】
0003563852.tif 000014
【図１４】
0003563852.tif 000015
【図１５】
0003563852.tif 000016
【図１６】
0003563852.tif 000017
【図１７】
0003563852.tif 000018
【図１８】
0003563852.tif 000019
【図１９】
0003563852.tif 000020
【図２０】
0003563852.tif 000021
【図２１】
0003563852.tif 000022